Podtech/llm-jp-corpus-v4-ja_patent huggingface dataset:
【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
外部から視認可能な遊技領域が設けられてなる本体部に対し開閉可能に支持された扉体を備えた遊技機であって、
前記扉体を、
第１の扉体と、第２の扉体とから構成するとともに、
前記第２の扉体は、前記遊技領域の前面側を覆う透明部材と、該透明部材の周縁部を支持する支持フレームとを具備する透明部材支持枠であり、
前記第１の扉体は、前記透明部材の周縁を前面側から覆うものであり、
前記第１の扉体と、第２の扉体とを、それぞれ異なる支持部で支持するよう構成したことを特徴とする遊技機。
【請求項２】
正面略矩形状の外枠と、
前記外枠の一側部にて開閉可能に支持され、遊技盤の装着された前面枠と、
前記前面枠に対し開閉可能に支持された扉体とを備え、
前記遊技盤の下方の発射部より遊技盤の上部に発射された遊技球に基づく遊技を行うよう構成された遊技機であって、
前記扉体を、
第１の扉体と、第２の扉体とから構成するとともに、
前記第２の扉体は、前記遊技盤の前面側を覆う透明部材と、該透明部材の周縁部を支持する支持フレームとを具備する透明部材支持枠であり、
前記第１の扉体は、前記透明部材の周縁を前面側から覆うものであり、
前記第１の扉体と、第２の扉体とを、それぞれ異なる支持部で支持するよう構成したことを特徴とする遊技機。
【請求項３】
前記第１及び第２の扉体は、互いに反対側の側部にて支持されており、
前記第２の扉体を所定角度以上開放した場合にのみ、前記第１の扉体の開放が許容されるよう構成したことを特徴とする請求項１又は２に記載の遊技機。
【請求項４】
遊技媒体の流下する遊技領域を有する遊技盤が装着されてなる前面枠と、
少なくとも板状の透明部材を有し、自身の閉状態にあって、前記遊技盤の盤面と平行又は略平行とされ、かつ、前記盤面との距離が一定又は略一定とされるよう、第１の支持部において前記前面枠に開閉可能に支持された透明部材扉枠と、
前記透明部材扉枠の前面側に位置し、前記透明部材を介して外部から前記遊技盤を視認できるよう開口部を有し、前記第１の支持部とは反対側の第２の支持部において開閉可能に支持された装飾枠とを備え、
前記装飾枠は、少なくとも前記透明部材の周縁を覆うものであり、かつ、前記装飾枠には、その後面側において開口し、装飾又は機能部品を収容するための収容部を設けたことを特徴とする遊技機。
【請求項５】
前記装飾又は機能部品は、電気部品であり、当該電気部品から延びる電気配線を、前記装飾枠の後面側の前記第２の支持部側から導出させたことを特徴とする請求項４に記載の遊技機。
【請求項６】
前記装飾又は機能部品は、前記透明部材扉枠のうち、前記透明部材を支持する支持フレームと重なり合う部位に対応して設けられていることを特徴とする請求項４又は５に記載の遊技機。
【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】
被検体の任意の断面における断面像の撮像及び表示が可能な医療画像診断装置において、
被検体を少なくとも異なる２方向から撮像した複数の断面像をそれぞれ表示する表示手段と、
前記複数の断面像を利用して同じ部位を示す任意の位置を選択する選択手段と、
前記選択手段によって選択された任意の位置から該位置の実空間上における座標位置を計算する計算手段と、
被検体に複数の光ビームを照射する光表示手段と、
前記計算された座標位置に基づいて前記複数の光ビームが前記座標位置を指し示すように前記光表示手段を制御する制御手段と、
を備えたことを特徴とする医療画像診断装置。
【請求項２】
前記光表示手段は、レーザ光を照射し、
前記制御手段は、前記被検体における穿刺位置を指し示すように前記光表示手段を制御する、
ことを特徴とする請求項１に記載の医療画像診断装置。
【請求項３】
前記光表示手段は、方向表示用レーザと、それを３次元移動及び回転させる移動手段とから構成される、
ことを特徴とする請求項１または２に記載の医療画像診断装置。
【請求項４】
前記光表示手段は、前記被検体を挟んでその両側に配置される、
ことを特徴とする請求項１乃至３のいずれか一つに記載の医療画像診断装置。
【請求項５】
前記光表示手段は、直交３軸方向から前記被検体を照射するように配置される、
ことを特徴とする請求項１乃至４のいずれか一つに記載の医療画像診断装置。
【請求項６】
前記医療画像診断装置は、前記被検体を挟んで上及び下に対向して配置された静磁場発生磁石を支える１以上の支柱を有する開放型磁気共鳴イメージング装置である、
ことを特徴とする請求項１乃至５のいずれか一つに記載の医療画像診断装置。
【請求項７】
前記光表示手段は、前記開放型磁気共鳴イメージング装置における前記被検体の上に位置する箇所、前記支柱、又は前記開放型磁気共鳴イメージング装置から所定距離離れた空間位置のうちの少なくとも二箇所に配置される、
ことを特徴とする請求項６に記載の医療画像診断装置。
【手続補正２】
【補正対象書類名】明細書
【補正対象項目名】００１３
【補正方法】変更
【補正の内容】
【００１３】
【課題を解決するための手段】
前記目的を達成するために請求項１に係る発明は、被検体の任意の断面における断面像の撮像及び表示が可能な医療画像診断装置において、被検体を少なくとも異なる２方向から撮像した複数の断面像をそれぞれ表示する表示手段と、前記複数の断面像を利用して同じ部位を示す任意の位置を選択する選択手段と、前記選択手段によって選択された任意の位置から該位置の実空間上における座標位置を計算する計算手段と、被検体に複数の光ビームを照射する光表示手段と、前記計算された座標位置に基づいて前記複数の光ビームが前記座標位置を指し示すように前記光表示手段を制御する制御手段と、を備えたことを特徴としている。
また、請求項２に係る発明は、前記光表示手段は、レーザ光を照射し、前記制御手段は、前記被検体における穿刺位置を指し示すように前記光表示手段を制御する、ことを特徴としている。
また、請求項３に係る発明は、前記光表示手段は、方向表示用レーザと、それを３次元移動及び回転させる移動手段とから構成される、ことを特徴としている。
また、請求項４に係る発明は、前記光表示手段は、前記被検体を挟んでその両側に配置される、ことを特徴としている。
また、請求項５に係る発明は、前記光表示手段は、直交３軸方向から前記被検体を照射するように配置される、ことを特徴としている、
また、請求項６に係る発明は、前記医療画像診断装置は、前記被検体を挟んで上及び下に対向して配置された静磁場発生磁石を支える１以上の支柱を有する開放型磁気共鳴イメージング装置である、ことを特徴としている。
また、請求項７に係る発明は、前記光表示手段は、前記開放型磁気共鳴イメージング装置における前記被検体の上に位置する箇所、前記支柱、又は前記開放型磁気共鳴イメージング装置から所定距離離れた空間位置のうちの少なくとも二箇所に配置される、ことを特徴としている。
【手続補正３】
【補正対象書類名】明細書
【補正対象項目名】００１４
【補正方法】変更
【補正の内容】
【００１４】
即ち、被検体を少なくとも異なる２方向から撮像した複数の断面像をそれぞれ表示手段に表示し、これらの複数の断面像を利用して同じ部位（例えば、腫瘍などのターゲット）を示す任意の位置を選択する。このようにして選択された任意の位置から該位置の実空間上における座標位置を計算する。そして、光表示手段から被検体に複数の光ビームを照射する際に、光ビームの照射位置や方向を制御することで、被検体に照射された各光ビームにより前記計算された座標位置を指し示すようにしている。
【手続補正書】
【提出日】平成17年2月15日(2005.2.15)
【手続補正１】
【補正対象書類名】明細書
【補正対象項目名】請求項３
【補正方法】変更
【補正の内容】
【請求項３】
上記攪拌翼は、便槽の底面に接して攪拌するものの他、上記微生物増殖床の少なくとも中層を攪拌するものとからなることを特徴とする請求項１または２に記載の微生物分解便槽。
【手続補正２】
【補正対象書類名】明細書
【補正対象項目名】０００２
【補正方法】変更
【補正の内容】
【０００２】
【従来の技術】
微生物分解形の仮設便所として、特願平８−３３３８３９号で「仮設便所において、上部に便槽を、下部に浄化水蓄溜槽および水洗用水槽を一体に配置し、便槽と浄化水蓄溜槽との間の隔壁に設けられた連通孔にはフィルターが嵌められたベースタンクと、便室内に設けられたペダルを踏押すことにより駆動力伝達機構を介して回動する上記便槽内に設けられた攪拌翼と、上記ペダル踏押時の発信によって作動する便器の水洗手段と、便槽内に設置された水分量検知センサーの信号により作動する便槽への散水手段と、上記水洗手段と上記散水手段のソーラー電源とからなる」ものが提案されている。
【手続補正書】
【提出日】平成17年5月31日(2005.5.31)
【手続補正１】
【補正対象書類名】明細書
【補正対象項目名】特許請求の範囲
【補正方法】変更
【補正の内容】
【特許請求の範囲】
【請求項１】
遊技媒体の払出を制御するための払出制御手段を備えた遊技機に用いられる、前記遊技媒体の貸出を制御するための貸出制御装置であって、
前記払出制御手段は、前記貸出制御装置から遊技媒体の貸出を要求する貸出要求信号を受信するたびに、貸出要求に応じた遊技媒体の貸出個数を累積して記憶する貸出個数記憶手段を備え、さらに、前記払出制御手段は、前記貸出個数記憶手段に貸出個数を累積記憶するたびに、貸出要求の受付を完了した受付完了信号を前記貸出制御装置に出力するように構成され、
前記貸出制御装置は、遊技媒体の貸出個数が記憶された記憶媒体を読み取る読取手段を備えていることを特徴とする貸出制御装置。
【請求項２】
請求項１に記載の貸出制御装置において、
前記貸出制御装置は、前記払出制御手段から前記受付完了信号を受信するたびに、前記記憶媒体に記憶された遊技媒体の貸出個数から、貸出要求に応じた遊技媒体の貸出個数を減算して、減算された貸出個数に書き換えて記憶媒体に記憶するように制御することを特徴とする貸出制御装置。
【請求項３】
請求項２に記載の貸出制御装置において、
前記貸出制御装置は、前記記憶媒体に記憶された遊技媒体の貸出個数を記憶する貸出制御装置用の貸出個数記憶手段を備え、前記読取手段が記憶媒体を読み取ると記憶媒体に記憶された遊技媒体の貸出個数を読み出して、その個数分を前記貸出制御装置用の貸出個数記憶手段に記憶し、前記払出制御手段から前記受付完了信号を受信するたびに、貸出制御装置用の貸出個数記憶手段に記憶された遊技媒体の貸出個数から、貸出要求に応じた遊技媒体の貸出個数を減算して、減算された貸出個数に書き換えて貸出制御装置用の貸出個数記憶手段に記憶することを特徴とする貸出制御装置。
【手続補正書】
【提出日】平成17年6月7日(2005.6.7)
【手続補正１】
【補正対象書類名】明細書
【補正対象項目名】特許請求の範囲
【補正方法】変更
【補正の内容】
【特許請求の範囲】
【請求項１】
複数のユーザが作成したユーザキャラクタを組み合わせてチームを構成し、前記チーム同士で対戦競技を行うようにコンピュータを動作させるゲームの制御方法であって、
記憶部により、前記チームの数、前記チームを構成するキャラクタの総数、前記チームを構成する初期キャラクタが予め定められて記憶されており、
登録部により、ユーザが作成したユーザキャラクタをシステムに登録するステップと、
前記登録部により、前記ユーザキャラクタを前記初期キャラクタに換えて前記複数のチームのいずれかに登録するステップとを有し、
前記記憶部により、前記チームを構成する初期キャラクタのうちの所定のキャラクタ、及び／又は、前記チームを構成するキャラクタの総数よりも少ない所定数のキャラクタについては、前記ユーザキャラクタと置き換え可能に設定されて記憶されている
ことを特徴とするゲームの制御方法。
【請求項２】
請求項１記載のゲームの制御方法において、
前記チームを構成するキャラクタの総数よりも少ない所定数は、前記チームを構成するキャラクタの総数の半数以下である
ことを特徴とするゲームの制御方法。
【請求項３】
複数のユーザが作成したユーザキャラクタを組み合わせてチームを構成し、前記チーム同士で対戦競技を行うようにコンピュータを動作させるゲームの制御方法であって、
記憶部により、前記チームの数、前記チームのレベル、前記チームを構成するキャラクタの総数、前記チームを構成する初期キャラクタが予め定められており記憶されており、
登録部により、ユーザが作成したユーザキャラクタをシステムに登録するステップと、
前記ユーザキャラクタを前記初期キャラクタに換えて前記複数のチームのいずれかに登録するステップと、
演算部により、前記ユーザキャラクタの個人成績を演算するステップと、
前記登録部により、演算結果に基づいて、前記ユーザキャラクタの個人成績に応じたレベルのチームに登録を変更するステップとを有する
ことを特徴とするゲームの制御方法。
【請求項４】
請求項１乃至３のいずれか１項に記載のゲームの制御方法において、
ユーザは、携帯する情報処理端末からシステムのサーバにアクセスして前記ゲームに参加する
ことを特徴とするゲームの制御方法。
【請求項５】
請求項１乃至４のいずれか１項に記載のゲームの制御方法の各ステップをコンピュータに実行させるプログラム。
【請求項６】
複数のユーザが作成したユーザキャラクタを組み合わせてチームを構成し、前記チーム同士で対戦競技を行うゲームシステムであって、
ユーザの操作を入力する操作部と、
予め定められた前記チームの数、前記チームを構成するキャラクタの総数、前記チームを構成する初期キャラクタとが記憶されており、前記チームを構成する初期キャラクタのうちの所定のキャラクタ、及び／又は、前記チームを構成するキャラクタの総数よりも少ない所定数のキャラクタについては、前記ユーザキャラクタと置き換え可能に設定されている記憶部と、
前記操作部の操作に基づいてユーザが作成したユーザキャラクタを前記初期キャラクタに置き換え可能か否かを判定する判定部と、
前記判定部においてユーザキャラクタが初期キャラクタと置き換え可能であると判定された場合、前記ユーザキャラクタを前記初期キャラクタに換えて前記チームに登録する登録部と
を有することを特徴とするゲームシステム。
【手続補正書】
【提出日】平成16年2月23日(2004.2.23)
【手続補正１】
【補正対象書類名】明細書
【補正対象項目名】００２４
【補正方法】変更
【補正の内容】
【００２４】
ところで、筐体３内部の上側には、ＣＰＵやＲＯＭ、ＲＡＭ等のチップ部品が実装された制御基板を収容した基板ケースが配設される。図２及び図３に示すように、この基板ケース４１は、透明樹脂製のベース４３とカバー４５とに分割され、基板ケース４１内に制御基板が収められた後、右側のかしめ部４９においてベース４３とカバー４５とがかしめられて封印され、筐体３内部に固着されたホルダに基板ケース４１が固定され、かしめ部４９を壊さない限り基板ケース４１を開けることができない構造になっている。このとき、カバー４５の右側壁がベース４３の右側壁の外方に位置するように、カバー４５及びベース４３の寸法設定が成されている。また、ホルダに基板ケース４１を固定する固定手段は、図２，３には示されていないが、かしめ部４９とは別に設けられている。


【手続補正２】
【補正対象書類名】明細書
【補正対象項目名】００２７
【補正方法】変更
【補正の内容】
【００２７】
ところで、図２及び図３に示すように、係合体５５は、嵌入部５５ａと、その先端の頭部５５ｂと、これらを繋ぐ軸状の接続部５５ｃとを備えており、嵌入部５５ａは嵌入孔５１と同じ形状に形成されて嵌入孔５１に嵌入する。そして、このように嵌入孔５１と嵌入部５５ａとが同一形状であることから、嵌入孔５１に嵌入した係合体５５の嵌入部５５ａの端面はカバー４５の右側壁の外側面とほぼ同一面を成し、基板ケース４１の筐体３内での狭い配置スペースとの関係もあって、嵌入部５５ａの端面を工具により細工して係合体５５を外部から引き抜くことができないようになっている。


【手続補正３】
【補正対象書類名】明細書
【補正対象項目名】００３１
【補正方法】変更
【補正の内容】
【００３１】
ところで、従来の場合と同様に、当初内蔵されている制御基板上の正規のＲＯＭを取り外して不正な変造ＲＯＭが取り付けられることを防止するために、まず１番目の係合体５５が嵌入孔５１、係合孔５３に挿入されて嵌入され、これによりケース４１が封印され、この封印状態のまま制御基板がケース４１ごとパチンコホールに搬送される。


【手続補正４】
【補正対象書類名】明細書
【補正対象項目名】００４６
【補正方法】変更
【補正の内容】
【００４６】
また、請求項３に記載の発明によれば、係合体を途中で切断するための開口がカバーに形成されているため、封印を解除する必要が生じた場合に、この開口を介して係合体の途中を切断することが可能になる。
【手続補正書】
【提出日】平成17年6月2日(2005.6.2)
【手続補正１】
【補正対象書類名】明細書
【補正対象項目名】特許請求の範囲
【補正方法】変更
【補正の内容】
【特許請求の範囲】
【請求項１】
ショルダーバンド等の吊下げ帯を引き込み収納する吊下げ帯収納機構を備え、バッグ等の携帯物に取り付けられる吊下げ帯収納装置であって、該吊下げ帯収納装置を、前記携帯物内部の上側角隅部に設ける一方、前記携帯物の角隅部には、前記吊下げ帯の外部への引出口を形成せしめ、該引出口より繰り出された吊下げ帯を、携帯物上面方向と側面方向への折り返しが略均等になされるべく構成してあることを特徴とする吊下げ帯収納装置およびその携帯物。
【請求項２】
バッグ等の携帯物に取り付けられる吊下げ帯収納装置であって、該吊下げ帯収納装置は、操作手段を介してショルダーバンド等の吊下げ帯を引き込み収納する吊下げ帯収納機構と、該吊下げ帯収納機構を収容するケース体とを備えており、該ケース体に、前記携帯物内部の上側隅部で、その上面と側面の夫々に跨らして面当てされる取付片を設け、吊下げ帯収納装置を、前記取付片を介して前記上側隅部に対面させて取り付けすることを特徴とする吊下げ帯収納装置およびその携帯物。
【請求項３】
請求項２において、前記携帯物には、吊下げ帯収納装置の対面領域に前記操作手段を外部から操作する連通孔と、吊下げ帯の外部への引出口を形成せしめたことを特徴とする吊下げ帯収納装置およびその携帯物。
【請求項４】
請求項２または３において、前記ケース体は、前記取付片間に上面と側面に跨って対面開口する収容部が設けられ、前記吊下げ帯収納機構は、該収容部に嵌装されるよう構成されることを特徴とする吊下げ帯収納装置およびその携帯物。
【請求項５】
請求項４において、前記吊下げ帯収納機構の前記ケース体への収容は、吊下げ帯収納機構のブラケットに設けた係止部を、前記取付片側の開口端縁に係止させ、これを支点として円周回りに嵌装可能に構成してあることを特徴とする吊下げ帯収納装置およびその携帯物。
【請求項６】
請求項１乃至５の何れかにおいて、前記携帯物に、吊下げ帯先端のフック部を掛着するリング体を携帯物一側面と他側面にそれぞれ設け、前記引き出された吊下げ帯を振り分けして、携帯物を縦姿勢と横姿勢の何れかの姿勢を選択的に使用可能に構成したこと特徴とする吊下げ帯収納装置およびその携帯物。
【請求項７】
請求項１乃至６の何れかにおいて、前記携帯物の側面には、吊下げ帯引き込み収納された際に、その余端部として収納されないショルダーパットを格納するパットホルダーが設けられていること特徴とする吊下げ帯収納装置およびその携帯物。
【請求項８】
請求項１乃至７の何れかにおいて、前記吊下げ帯収納装置は、少なくとも四周面の上面及び側面に跨って設けられる補強フレームに取り付けされ、前記引出し口は、補強フレームに穿設された吊下げ帯ガイド孔により形成されていること特徴とする吊下げ帯収納装置およびその携帯物。
【請求項９】
請求項８において、前記補強フレームには、前記吊下げ帯を引出し・引込み操作する操作手段を、携帯物外部より操作可能に切欠きせしめた切欠き孔が設けられていること特徴とする吊下げ帯収納装置およびその携帯物。
【手続補正２】
【補正対象書類名】明細書
【補正対象項目名】０００７
【補正方法】変更
【補正の内容】
【０００７】
【課題を解決するための手段】
上記課題を解決するために本発明の吊下げ帯収納装置およびその携帯物は、ショルダーバンド等の吊下げ帯を引き込み収納する吊下げ帯収納機構を備え、バッグ等の携帯物に取り付けられる吊下げ帯収納装置であって、該吊下げ帯収納装置を、前記携帯物内部の上側角隅部に設ける一方、前記携帯物の角隅部には、前記吊下げ帯の外部への引出口を形成せしめ、該引出口より繰り出された吊下げ帯を、携帯物上面方向と側面方向への折り返しが略均等になされるべく構成してあることを特徴とするものである。
また、上記課題を解決するために本発明の吊下げ帯収納装置およびその携帯物は、バッグ等の携帯物に取り付けられる吊下げ帯収納装置であって、該吊下げ帯収納装置は、操作手段を介してショルダーバンド等の吊下げ帯を引き込み収納する吊下げ帯収納機構と、該吊下げ帯収納機構を収容するケース体とを備えており、該ケース体に、前記携帯物内部の上側隅部で、その上側面と側面の夫々に跨らして面当てされる取付片を設け、吊下げ帯収納装置を、前記取付片を介して前記上側隅部に対面させて取り付けすることを特徴とするものである。
【手続補正３】
【補正対象書類名】明細書
【補正対象項目名】００１１
【補正方法】変更
【補正の内容】
【００１１】
前記ラッチ体５１は、その左右両側部においてブラケット２１に回転可能に軸支され、前記レバー部５２前記レバー部５２の先端には、ピン孔５２１が形成される一方、前記操作レバー５３の下面部には、ピン孔５３１を有する連結片５３２が形成されており、両者は軸ピン５４により回転可能に軸着されて連結される。そして、前記操作レバー５３を指先等でスライド操作することで、ラッチ体５１がバネ５５に抗して回動し、凹部２４２との係合が解離され、回転規制された巻取ドラム２４にショルダーバンド４が自動的に巻取られるようになっている。つまり、ショルダーバンド４が引込み収納された状態で操作レバー５３を指先でスライド操作すると、ラッチ体５１と凹部２４２との係合解除に伴ってショルダーバンド４の引出し操作が許容され、この状態でショルダーバンド４を所望の長さまで引出すことができる。その後、前記操作レバー５３から指先を離すと、操作レバー５３が元の位置にスライド復帰し、再びラッチ体５１と凹部２４２とが係合するのに伴い、ショルダーバンド４の引出しおよび引込みが規制され、ショルダーバンド４が使用可能になる。一方、ショルダーバンド４が引出された状態で操作レバー５３をスライド操作すると、ラッチ体５１と凹部２４２との係合解除に伴い、ショルダーバンド４がゼンマイバネ２３の付勢力で自動的に引込み収納されることになる。
【手続補正４】
【補正対象書類名】明細書
【補正対象項目名】００１５
【補正方法】変更
【補正の内容】
【００１５】
叙述の如く構成された本発明の実施形態において、バッグ６等の携帯物に取り付けられる吊下げ帯収納装置１であって、該吊下げ帯収納装置１は、操作手段５を介してショルダーバンド４を引き込み収納する吊下げ帯収納機構２と、該吊下げ帯収納機構２を収容するケース体３とを備えており、該ケース体３に、前記バッグ内部の上側隅部で、その上面と側面の夫々に跨らして面当てされる取付片３１、３２を設け、吊下げ帯収納装置１を、前記取付片３１，３２を介して前記上側隅部に対面させて取り付けするようになっている。このため、吊下げ帯収納装置１をバッグ６に取り付けしたものでありながら、バッグ６自体の構成部材として採用されている補強フレーム６１が、上面および両側面に跨って取り付けられ、かつバッグ６自体の制作工程に組み込まれる部材であることに着目し、従来のように吊下げ帯収納装置固有の取付け基板を用いることなく、この補強フレーム６１に対して直接的に対面取付けできるようになり、結果、バッグコーナー部となる補強フレーム６１に、ショルダーバンド４の引出口８１に連通するガイド孔６１２や操作手段５（レバー部５２と前記連結片５３２とが連結される部位）の外部へ連通する切欠き孔６１１を近接形成することが可能となり、取付け構成が極めて簡素化される。
【手続補正書】
【提出日】平成17年4月26日(2005.4.26)
【手続補正１】
【補正対象書類名】明細書
【補正対象項目名】特許請求の範囲
【補正方法】変更
【補正の内容】
【特許請求の範囲】
【請求項１】
超音波探触子によって取得した超音波画像を表示したり記憶したりする超音波診断装置の有する種々の機能の中から所望のものを、パーソナルコンピュータに移植することによって、前記超音波診断装置と同等の処理を前記パーソナルコンピュータ側で実行できるように構成したことを特徴とする医用診断システム。
【請求項２】
請求項１において、前記超音波診断装置の有する種々の機能として、画像ビューア機能、ファイリング機能、計測機能、画像検索機能、計測レポート作成機能、並びにキャラクタ入力及びアノテーション機能の少なくとも一つを前記パーソナルコンピュータ側に移植し、実行できるようにしたことを特徴とする医療診断システム。
【請求項３】
請求項２において、前記計測機能に含まれる計測式をパーソナルコンピュータ側で編集して新計測式を作成し、作成された新計測式をパーソナルコンピュータ側で検証し、検証された新計測式を前記超音波診断装置側に戻し、前記超音波診断装置が前記新計測式に基づいて計測処理を行うことができるように構成されたことを特徴とする医療診断システム。
【請求項４】
超音波探触子によって取得した超音波画像を表示したり記憶したりする超音波診断装置の有する種々の機能の中から所望のものを、パーソナルコンピュータに移植することによって、前記超音波診断装置と同等の処理を前記パーソナルコンピュータ側で実行できるように構成した医用診断システムであって、前記超音波診断装置の有する種々の機能の中の計測機能に含まれる計測式をパーソナルコンピュータ側で編集して新計測式を作成し、作成された新計測式をパーソナルコンピュータ側で検証し、検証された新計測式を前記超音波診断装置側に戻し、前記超音波診断装置が前記新計測式に基づいて計測処理を行うことができるように構成されたことを特徴とする医療診断システム。
【手続補正書】
【提出日】平成17年5月31日(2005.5.31)
【手続補正１】
【補正対象書類名】明細書
【補正対象項目名】特許請求の範囲
【補正方法】変更
【補正の内容】
【特許請求の範囲】
【請求項１】
静磁場内に置かれた被検体に、所定のパルスシーケンスに則り高周波磁場及び傾斜磁場を印加するとともに、前記被検体から発生する磁気共鳴信号を計測する撮像手段と、前記磁気共鳴信号を処理し、前記被検体の所望の組織を画像化し表示する信号処理手段と、前記撮像手段及び信号処理手段を制御する制御手段とを備えた磁気共鳴イメージング装置において、
前記撮像手段は、複数の時系列画像を取得するダイナミック計測のためのパルスシーケンスを備え、前記信号処理手段は、前記ダイナミック計測の実行によって前記撮像手段が取得した複数の時系列画像用のデータを用いて、時系列画像を連続表示するとともに、前記時系列画像用のデータから所定の信号値を抽出し、抽出信号値の時間的変化を表示することを特徴とする磁気共鳴イメージング装置。
【請求項２】
前記抽出信号値は、ｋ空間の原点の信号値またはｋ空間の原点の信号値を読み出し方向に積算した値である請求項１記載の磁気共鳴イメージング装置。
【請求項３】
請求項１または２に記載の磁気共鳴イメージング装置であって、前記制御手段は、前記抽出信号値が閾値に達したときに、前記時系列画像の空間分解能を上げるように前記パルスシーケンスの傾斜磁場印加条件を変更することを特徴とする磁気共鳴イメージング装置。
【請求項４】
請求項１ないし３いずれか１項に記載の磁気共鳴イメージング装置であって、前記撮像手段が実行するダイナミック計測は、造影剤を用いて血流の動態変化を観察する血流撮像である磁気共鳴イメージング装置。
【請求項５】
請求項１ないし４いずれか１項に記載の磁気共鳴イメージング装置であって、前記信号処理手段は、前記抽出信号値の時間的変化を、連続表示される時系列画像と時間的に対応させて表示することを特徴とする磁気共鳴イメージング装置。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
輪転印刷機の折り装置において折りフラップ胴に設けられた折りフラップ配置構成であって、
定置の折りフラップ部分と可動の折りフラップ部分とが設けられており、これらの定置の折りフラップ部分と可動の折りフラップ部分との間にギャップが形成されており、前記折りフラップ胴と協働する別の胴の折り機構が、被印刷物を折るために前記ギャップに進入するようになっており、前記可動の折りフラップ部分に少なくとも１つのばね弾性的な領域が設けられており、ばね弾性的な領域が、被印刷物を折り過程中に前記定置の折りフラップ部分に押圧するようになっており、前記可動の折りフラップ部分に、前記ギャップの幅を狭める追加的な層が設けられている、被印刷物を処理する折り胴の折りフラップ配置構成。
【請求項２】
前記可動の折りフラップ部分が、前記折りフラップ配置構成の幅にわたって相並んで配置された複数の折りフラップ区分を備えている、請求項１記載の折りフラップ配置構成。
【請求項３】
前記折りフラップ部分が、一体的な折りフラップ部分として形成されている、請求項１記載の折りフラップ配置構成。
【請求項４】
少なくとも１つの前記ばね弾性的な領域が、スリット状の開口によって制限されたばね舌片として形成されている、請求項１記載の折りフラップ配置構成。
【請求項５】
前記追加的な層（２０）が、被印刷物の材料の摩擦係数に対して高められた摩擦係数を有するフレキシブルな弾性材料を含んでいる、請求項１記載の折りフラップ配置構成。
【請求項６】
前記追加的な層が、ポリウレタンを含んでいる、請求項５記載の折りフラップ配置構成。
【請求項７】
前記追加的な層が、前記可動の折りフラップ部分の、被印刷物をガイドする胴の外周面に向いた上位領域に配置されている、請求項１記載の折りフラップ配置構成。
【請求項８】
前記追加的な層が、前記可動の折りフラップ部分に直接的に取り付けられている、請求項１記載の折りフラップ配置構成。
【請求項９】
前記追加的な層が、前記可動の折りフラップ部分の中間層に受容されている、請求項１記載の折りフラップ配置構成。
【請求項１０】
前記中間層が、フレキシブルな弾性材料を含んでいる、請求項９記載の折りフラップ配置構成。
【請求項１１】
前記可動の折りフラップ部分が、掻きあげエレメントの通過を可能にする切欠を備えている、請求項１記載の折りフラップ配置構成。
【請求項１２】
前記可動の折りフラップ部分における前記ばね弾性的な領域が、前記ギャップに進入する前記折り機構に形成されている切欠に対応しており、この前記ばね弾性的な領域と前記切欠との対応が、該ばね弾性的な領域が前記折り機構の前記切欠を通じて被印刷物を前記折りフラップ配置構成の前記定置の折りフラップ部分に押圧し、前記折り機構の引き出された状態で被印刷物を前記定置の折りフラップ部分に保持するようにして行われるようになっている、請求項１記載の折りフラップ配置構成。
【請求項１３】
折りフラップ配置構成を備えた、輪転印刷機の折り装置における折りフラップ胴であって、
折りフラップ配置構成が、定置の折りフラップ部分と可動の折りフラップ部分とを備えており、これらの定置の折りフラップ部分と可動の折りフラップ部分との間にギャップが形成されており、前記折りフラップ胴と協働する別の胴の折り機構が、被印刷物を折るために前記ギャップに進入するようになっており、前記可動の折りフラップ部分に少なくとも１つのばね弾性的な領域が設けられており、ばね弾性的な領域が、被印刷物を折り過程中に前記定置の折りフラップ部分に押圧するようになっており、前記可動の折りフラップ部分に、前記ギャップの幅を狭める追加的な層が設けられている、折りフラップ配置構成を備えた、輪転印刷機の折り装置における折りフラップ胴。
【請求項１４】
折りフラップ配置構成の設けられた折りフラップ胴を備えた、輪転印刷機の折り装置であって、
折りフラップ配置構成が、定置の折りフラップ部分と可動の折りフラップ部分とを備えており、これらの定置の折りフラップ部分と可動の折りフラップ部分との間にギャップが形成されており、前記折りフラップ胴と協働する別の胴の折り機構が、被印刷物を折るために前記ギャップに進入するようになっており、前記可動の折りフラップ部分に少なくとも１つのばね弾性的な領域が設けられており、ばね弾性的な領域が、被印刷物を折り過程中に前記定置の折りフラップ部分に押圧するようになっており、前記可動の折りフラップ部分に、前記ギャップの幅を狭める追加的な層が設けられている、折りフラップ配置構成の設けられた折りフラップ胴を備えた、輪転印刷機の折り装置。
【手続補正書】
【提出日】平成16年6月16日(2004.6.16)
【手続補正１】
【補正対象書類名】明細書
【補正対象項目名】特許請求の範囲
【補正方法】変更
【補正の内容】
【特許請求の範囲】
【請求項１】
中速４ストロークトランクピストン圧縮点火船舶エンジン用潤滑油組成物であって、
（Ａ）多量の、潤滑粘度を有するオイルと、（Ｂ）少量の、油溶性過塩基化金属清浄剤の塩基性物質が１種より多くの界面活性剤により安定化されている複合体の形態にある油溶性過塩基化金属清浄剤添加剤との混合物を含み；
実質的に分散剤を含まないかあるいは組成物の質量をベースとして１質量％又は１質量％未満の分散剤を含み；かつ
３．５〜１００の範囲のＴＢＮを有する組成物。
【請求項２】
（Ｂ）において、少なくとも１種の界面活性剤がサリチレートである請求項１に記載の組成物。
【請求項３】
（Ｂ）において、別の界面活性剤がフェナートである請求項２に記載の組成物。
【請求項４】
（Ｂ）において、金属清浄剤がカルシウム清浄剤である請求項１〜３のいずれか１項に記載の組成物。
【請求項５】
更に、少量の、残留燃料含量での燃料油を含む請求項４に記載の組成物。
【請求項６】
分散剤を含まないかあるいは１質量％又は１質量％未満の分散剤を含む潤滑油組成物を中速４ストロークトランクピストン圧縮点火船舶エンジンにおいて使用する際にピストンアンダークラウン堆積物を制御するための、請求項１〜４のいずれか１項に記載の添加剤（Ｂ）の、該組成物中における使用。
【請求項７】
中速４ストロークトランクピストン圧縮点火船舶エンジンを潤滑化する方法であって、該エンジンに、請求項１〜５のいずれか１項に記載の潤滑油組成物を供給することを含む方法。
【手続補正書】
【提出日】平成17年6月21日(2005.6.21)
【手続補正１】
【補正対象書類名】明細書
【補正対象項目名】００１５
【補正方法】変更
【補正の内容】
【００１５】
（メタ型アラミド繊維）
メタフェニレン基を構成単位とするメタ系アラミド繊維は分子構造が曲がっているため、パラ系アミラド繊維と較べて強度と弾性率の点では劣るが、防炎性、耐熱性、耐候性、耐薬品性などに優れている。
「ノーメックス」は、１９６０年にデュポン社より開発された代表的なメタ系アラミド繊維である。主原料はメタフェニレンジアミンとイソフタル酸クロライドである。消防服や耐熱フィルター、電気絶縁材料に用いられている。
１９７０年帝人はメタ系アラミド繊維「コーネックス」の生産を開始した。原料はメタフェニレンジアミンとイソフタル酸クロライドで、脱塩酸縮重合でポリマーを作る。合成は界面重合法を２段に分けて行う帝人独自の技術である。用途は、防護服、石綿代替、繊維強化プラスチック（ＦＲＰ）、セメント補強材などに使用されてきた。
【手続補正書】
【提出日】平成16年4月1日(2004.4.1)
【手続補正１】
【補正対象書類名】明細書
【補正対象項目名】０００６
【補正方法】変更
【補正の内容】
【０００６】
上記屋根２の上面を、軒先端縁に至るまで上記各太陽電池モジュール４、４と上記各屋根材７、７とにより覆った（葺いた）場合、上記軒先端縁の一部は、最下段に位置する各太陽電池モジュール４、４の下端縁が構成し、この軒先端縁の残部は最下段に位置する各屋根材７、７の下端縁が構成する事になる。このうち、上記各太陽電池モジュール４、４の下端縁が構成する軒先部分は、図２２に示す様に、上記屋根２を構成する野地板８の端縁に固定した支持枠９の上面に、上記最下段に位置する各太陽電池モジュール４の下端縁を支持する事により構成している。これに対して、上記各屋根材７、７の下端縁が構成する軒先部分は、図２３に示す様に、上記野地板８の端縁部にこの屋根材７の下端部を、水切りプレート１０を介して載置する事により構成している。
又、上記屋根２の軒先部分には、図２４（Ａ）（Ｂ）に示す様に樋１１を設けて、この屋根２の上面を葺いた上記各太陽電池モジュール４、４及び上記各屋根材７、７の上面を流下する雨水を捕集自在としている。


【手続補正２】
【補正対象書類名】明細書
【補正対象項目名】００１４
【補正方法】変更
【補正の内容】
【００１４】
本発明の太陽光発電装置を設置した軒先部での雨水捕集装置は、上記樋１１を上記屋根材７、７の上面から流下する雨水を捕集するのに適正な位置に設置している。即ち、上記樋１１を、前述の図２４〜２５（Ａ）に示す様に、上記各屋根材７、７の上面下端縁から直接流下する雨水だけでなく、野地板８の下端部に設けた水切りプレート１０を介して流下する雨水も効果的に捕集できる位置に設置する。


【手続補正３】
【補正対象書類名】明細書
【補正対象項目名】００１８
【補正方法】変更
【補正の内容】
【００１８】
尚、上記立ち上がり板部１７は、上記支持枠９の長さ方向両端部で、図５〜６に示す様に除去している。言い換えれば、上記立ち上がり板部１７は、上記支持枠９の長さ方向中央部にのみ存在する。この理由は、この支持枠９は、太陽光発電装置の幅方向両端部下側に設ける１対の排水枠の下端部が位置する部分にまで設けるのに対して、上記各太陽電池モジュール４は、上記１対の排水枠の間部分にのみ設ける為である。即ち、上記支持枠９を構成する固定板部１６の両端部上面には上記１対の排水枠の下端部を載せ、これら各排水枠の上面を流れた雨水を下方に排水自在とする為、上記立ち上がり板部１７を除去して、これら各排水枠の下端部に達した雨水を、前記樋１１に向け排出できる様にしている。


【手続補正４】
【補正対象書類名】図面
【補正対象項目名】図１６
【補正方法】変更
【補正の内容】
【図１６】
2002167927.tif 000001
【手続補正書】
【提出日】平成16年8月2日(2004.8.2)
【手続補正１】
【補正対象書類名】明細書
【補正対象項目名】特許請求の範囲
【補正方法】変更
【補正の内容】
【特許請求の範囲】
【請求項１】
筐体内に設置される記録用紙に印字を行う印字手段と、該印字手段により印字された前記記録用紙を筐体外へ排出する排出手段と、排出口に設置され前記排出手段により筐体外へ排出された前記記録用紙を手動にて切断するためのカッター刃とを備えるプリンタにおいて、前記排出口外部に設置され，前記記録用紙の排出方向を前記カッター刃の刃先方向と逆方向へ導くためのガイド部材を備えることを特徴とするプリンタ。
【請求項２】
請求項１のプリンタは、前記ガイド部材の先端部を前記記録用紙切断時の支点とすることを特徴とするプリンタ。
【請求項３】
請求項２のプリンタにおいて、ガイド部材の先端部を前記記録用紙切断時の支点とした際に，前記カッター刃の刃先が作用点となる位置に前記先端部を設けたことを特徴とするプリンタ。
【請求項４】
請求項１のガイド部材は、前記排出口から排出された記録用紙を装置外部へ排出する開口部を有し、該開口部は指が入る程度又はそれ以上の大きさであることを特徴とするプリンタ。
【請求項５】
筐体内に設置される記録用紙を筐体外へ排出する排出手段と、排出口に設置され前記排出手段により筐体外へ排出された前記記録用紙を手動にて切断するためのカッター刃とを備えるプリンタにおいて、前記排出口に設置され，前記排出口における切断方向を制限するとともに前記排出手段により筐体外へ排出された記録用紙を所定方向にガイドするガイド部材を備えることを特徴とするプリンタ。
【手続補正２】
【補正対象書類名】明細書
【補正対象項目名】０００７
【補正方法】変更
【補正の内容】
【０００７】
（１）  筐体内に設置される記録用紙に印字を行う印字手段と、該印字手段により印字された前記記録用紙を筐体外へ排出する排出手段と、排出口に設置され前記排出手段により筐体外へ排出された前記記録用紙を手動にて切断するためのカッター刃とを備えるプリンタにおいて、前記排出口外部に設置され，前記記録用紙の排出方向を前記カッター刃の刃先方向と逆方向へ導くためのガイド部材を備えることを特徴とする。
（２）  （１）のプリンタは、前記ガイド部材の先端部を前記記録用紙切断時の支点とすることを特徴とする。
（３）  （２）のプリンタにおいて、ガイド部材の先端部を前記記録用紙切断時の支点とした際に，前記カッター刃の刃先が作用点となる位置に前記先端部を設けたことを特徴とする。
（４）  （１）のガイド部材は、前記排出口から排出された記録用紙を装置外部へ排出する開口部を有し、該開口部は指が入る程度又はそれ以上の大きさであることを特徴とする。
（５）  筐体内に設置される記録用紙を筐体外へ排出する排出手段と、排出口に設置され前記排出手段により筐体外へ排出された前記記録用紙を手動にて切断するためのカッター刃とを備えるプリンタにおいて、前記排出口に設置され，前記排出口における切断方向を制限するとともに前記排出手段により筐体外へ排出された記録用紙を所定方向にガイドするガイド部材を備えることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正書】
【提出日】平成17年10月11日(2005.10.11)
【手続補正１】
【補正対象書類名】特許請求の範囲
【補正対象項目名】請求項１
【補正方法】変更
【補正の内容】
【請求項１】
アクセル開度に基づいて制御されるスロットル制御装置と、車両の運転状態に応じてエンジンの全ての気筒を稼動する全筒運転状態と一部の気筒を稼動する休筒運転状態とに切替制御可能なエンジンを備えた車両の自動変速機の制御装置であって、
前記車両の登坂状態を検出する登坂状態検出手段と、
該登坂状態検出手段により登坂状態が検出されたときに、登坂の程度に応じて予め定められた複数の変速パターンから該登坂状態に応じて一つの変速パターンを選択する変速パターン選択手段と、
前記エンジンの休筒運転状態を検出する休筒運転状態検出手段と、
該休筒運転状態検出手段により休筒運転状態が検出された場合に、前記エンジンの全筒運転状態のときに前記変速パターン選択手段により選択される変速パターンに対し、シフトアップ線を高車速側に変更する変速パターン変更手段と、
前記エンジンの全筒運転状態のときには、前記変速パターン選択手段により選択された変速パターンに基づき、前記エンジンの休筒運転状態のときには、前記変速パターン変更手段により変更された変速パターンに基づいて、登坂制御を行う登坂変速制御手段と、
を具備したことを特徴とする車両の自動変速機の制御装置。
【手続補正２】
【補正対象書類名】特許請求の範囲
【補正対象項目名】請求項３
【補正方法】変更
【補正の内容】
【請求項３】
アクセル開度に基づいて制御されるスロットル制御装置と、車両の運転状態に応じてエンジンの全ての気筒を稼動する全筒運転状態と一部の気筒を稼動する休筒運転状態とに切替制御可能なエンジンとを備えた車両の自動変速機の制御装置であって、
前記車両の降坂状態を検出する降坂状態検出手段と、
該降坂状態検出手段により降坂状態が検出されたときに、降坂の程度に応じて予め定められた複数の変速パターンから該降坂状態に応じて一つの変速パターンを選択する変速パターン選択手段と、
前記エンジンの休筒運転状態を検出する休筒運転状態検出手段と、
該休筒運転状態検出手段により休筒運転状態が検出された場合に、前記エンジンの全筒運転状態のときに前記変速パターン選択手段により選択される変速パターンに対し、シフトダウン線を高車速側に変更する変速パターン変更手段と、
前記エンジンの全筒運転状態のときには、前記変速パターン選択手段により選択された変速パターンに基づき、前記エンジンの休筒運転状態のときには、前記変速パターン変更手段により変更された変速パターンに基づいて、降坂制御を行う降坂変速制御手段と、
を具備したことを特徴とする車両の自動変速機の制御装置。
【手続補正３】
【補正対象書類名】明細書
【補正対象項目名】００１１
【補正方法】変更
【補正の内容】
【００１１】
請求項１記載の発明によると、アクセル開度に基づいて制御されるスロットル制御装置と、車両の運転状態に応じてエンジンの全ての気筒を稼動する全筒運転状態と一部の気筒を稼動する休筒運転状態とに切替制御可能なエンジンを備えた車両の自動変速機の制御装置であって、前記車両の登坂状態を検出する登坂状態検出手段と、該登坂状態検出手段により登坂状態が検出されたときに、登坂の程度に応じて予め定められた複数の変速パターンから該登坂状態に応じて一つの変速パターンを選択する変速パターン選択手段と、前記エンジンの休筒運転状態を検出する休筒運転状態検出手段と、該休筒運転状態検出手段により休筒運転状態が検出された場合に、前記エンジンの全筒運転状態のときに前記変速パターン選択手段により選択される変速パターンに対し、シフトアップ線を高車速側に変更する変速パターン変更手段と、前記エンジンの全筒運転状態のときには、前記変速パターン選択手段により選択された変速パターンに基づき、前記エンジンの休筒運転状態のときには、前記変速パターン変更手段により変更された変速パターンに基づいて、登坂制御を行う登坂変速制御手段と、を具備したことを特徴とする車両の自動変速機の制御装置が提供される。
【手続補正４】
【補正対象書類名】明細書
【補正対象項目名】００１３
【補正方法】変更
【補正の内容】
【００１３】
請求項３記載の発明によると、アクセル開度に基づいて制御されるスロットル制御装置と、車両の運転状態に応じてエンジンの全ての気筒を稼動する全筒運転状態と一部の気筒を稼動する休筒運転状態とに切替制御可能なエンジンとを備えた車両の自動変速機の制御装置であって、前記車両の降坂状態を検出する降坂状態検出手段と、該降坂状態検出手段により降坂状態が検出されたときに、降坂の程度に応じて予め定められた複数の変速パターンから該降坂状態に応じて一つの変速パターンを選択する変速パターン選択手段と、前記エンジンの休筒運転状態を検出する休筒運転状態検出手段と、該休筒運転状態検出手段により休筒運転状態が検出された場合に、前記エンジンの全筒運転状態のときに前記変速パターン選択手段により選択される変速パターンに対し、シフトダウン線を高車速側に変更する変速パターン変更手段と、前記エンジンの全筒運転状態のときには、前記変速パターン選択手段により選択された変速パターンに基づき、前記エンジンの休筒運転状態のときには、前記変速パターン変更手段により変更された変速パターンに基づいて、降坂制御を行う降坂変速制御手段と、を具備したことを特徴とする車両の自動変速機の制御装置が提供される。
【手続補正書】
【提出日】平成17年3月8日(2005.3.8)
【手続補正１】
【補正対象書類名】特許請求の範囲
【補正対象項目名】全文
【補正方法】変更
【補正の内容】
【特許請求の範囲】
【請求項１】
外壁をタイル張りする工法であって、
該外壁にネットを重ね、ビス挿通孔を有したワッシャを介して皿ビスを該外壁にねじ込むことにより前記ネットを外壁に留め付け、
該ネットの上から外壁に接着剤を塗着し、次いでタイル張りする外壁のタイル張り工法において、
前記ワッシャのビス挿通孔は、前記皿ビスの頭部が嵌合するテーパ形状となっており、
該皿ビスの頭部が、該ワッシャのネットと反対側の面から非突出状となるようにビス打ちすることを特徴とする外壁のタイル張り工法。
【請求項２】
請求項１において、両面が粘着材料よりなる粘着テープを外壁に貼着し、該粘着テープの上に第１のネットの側端を重ね合わせ、その上に、該第１のネットに隣接配置される第２のネットの側端を重ね合わせ、これらの第１及び第２のネットを該粘着テープによって外壁に付着させることを特徴とする外壁のタイル張り工法。
【請求項３】
外壁にネットを取り付け、
該ネットの上から外壁に接着剤を塗着し、次いでタイル張りする外壁のタイル張り工法において、
該ネットの取り付けに際し、両面が粘着材料よりなる粘着テープを外壁に貼着し、
該粘着テープの上にネットの側端を重ね合わせ、該ネットを該粘着テープによって外壁に付着させることを特徴とする外壁のタイル張り工法。
【請求項４】
外壁に複数枚のネットを取り付け、
該ネットの上から外壁に接着剤を塗着し、次いでタイル張りする外壁のタイル張り工法において、
該ネットの取り付けに際し、両面が粘着材料よりなる粘着テープを外壁に貼着し、
該粘着テープの上に第１のネットの側端を重ね合わせ、その上に、該第１のネットに隣接配置される第２のネットの側端を重ね合わせ、これらの第１及び第２のネットを該粘着テープによって外壁に付着させることを特徴とする外壁のタイル張り工法。
【請求項５】
請求項１ないし４のいずれか１項に記載の工法によりタイル張りされた外壁。
【請求項６】
孔がテーパ形となっていることを特徴とするワッシャ。
【手続補正２】
【補正対象書類名】明細書
【補正対象項目名】発明の名称
【補正方法】変更
【補正の内容】
【発明の名称】外壁のタイル張り工法、外壁及びワッシャ
【手続補正３】
【補正対象書類名】明細書
【補正対象項目名】０００１
【補正方法】変更
【補正の内容】
【０００１】
本発明は、外壁をタイル張り壁にするための工法及びワッシャと、このタイル張り工法によりタイル張りされた外壁に関する。
【手続補正４】
【補正対象書類名】明細書
【補正対象項目名】００１４
【補正方法】変更
【補正の内容】
【００１４】
本発明は、施工作業が容易であると共に、ネットをしっかりと外壁に留め付けることが可能な外壁のタイル張り工法及びワッシャと、この工法によりタイル張りされた外壁を提供することを目的とする。
【手続補正５】
【補正対象書類名】明細書
【補正対象項目名】００２１
【補正方法】変更
【補正の内容】
【００２１】
本発明（請求項５）の外壁は、かかる本発明の方法により外壁をタイル張りしたものである。
本発明（請求項６）のワッシャは、孔がテーパ形となっていることを特徴とするものである。